(57)【要約】【課題】本発明は、ホワイトボード１の表面に色彩豊かな画像を低コスト、短納期で印刷可能にし、かつ劣化しにくいホワイトボード１を提供することを目的とする。【解決手段】  上記目的を達成させるために、本発明は、基材となる金属板２に染着性を有する合成樹脂層３を塗膜したホワイトボード１であって、合成樹脂層３を所定の温度で加熱して合成樹脂層３の分子鎖を緩ませることにより、合成樹脂層３の緩んだ分子鎖の間隙に昇華転写インク４を定着させて所要の画像を染色させたホワイトボード１であることを特徴とする。【選択図】図１
2013158936.tif 000002
【特許請求の範囲】
【請求項１】
基材となる金属板に染着性を有する合成樹脂層を塗膜したホワイトボードであって、前記合成樹脂層を所定の温度で加熱して前記合成樹脂層の分子鎖を緩ませることにより、緩んだ前記合成樹脂層の分子鎖の間隙に昇華転写インクを定着させて所要の画像を染色させたホワイトボード。
【請求項２】
前記合成樹脂層はポリエステルを含むことを特徴とする請求項１に記載のホワイトボード。
【請求項３】
前記所定の温度は、摂氏１６０度ないし２００度であることを特徴とする請求項１又は２に記載のホワイトボード。
【請求項４】
所定の画像データをインクジェットプリンタで転写紙にプリントする印刷工程と、
基材となる金属板に染着性を有する合成樹脂層を塗膜したホワイトボードの表面の所定位置に、前記転写紙を載せる転写準備工程と、
転写機で前記転写紙を前記ホワイトボードの表面に所定の温度で押圧することにより、前記転写紙の昇華転写インクが昇華して、前記ホワイトボードの前記合成樹脂層に浸透する昇華転写工程と、
を備えるホワイトボードの染色方法。
【請求項５】
前記合成樹脂層はポリエステルを含むことを特徴とする請求項４に記載のホワイトボードの染色方法。
【請求項６】
前記所定の温度は、摂氏１６０度ないし２００度であることを特徴とする請求項４又は５に記載のホワイトボードの染色方法。
【発明の詳細な説明】
【技術分野】
【０００１】
本発明は、昇華性染料により発色して、罫線、記号、模様等の画像を任意に形成できるホワイトボード及びその染色方法に関する。
【背景技術】
【０００２】
ホワイトボードは連絡用掲示板等に使用される滑らかなつやのある白い板で、白板ともいう。ホワイトボードの表面はエナメルや磁器の鉄鋼などでコーティングされていることもある。水性インク又は油性インクのマーカーを用いて、ホワイトボードの表面に書き込むことができるが、このマーカーは通常のマジックペンと異なって定着剤が含まれておらず、乾いた布で拭くと簡単に字を消せるため、何度も繰り返して書き消しが可能である。鉄を芯材に用いるホワイトボードには磁石が吸着するため、連絡プリントを挟んで一緒に掲示したり、字消しとマーカーを磁石で吸着しておいたりすることもできる。
【先行技術文献】
【特許文献】
【０００３】
【特許文献１】特開２００１−  ３０６８３号公報
【特許文献２】特開２０００−２８０６８９号公報
【０００４】
日程表などで用いられるホワイトボードには最初から日付や予定などを書く欄が、通常黒色の枠で描かれている。黒色の枠等の罫線や方眼は、一般にはグラビア印刷、オフセット印刷、スクリーン印刷等の印刷によって形成されることが多い。
【発明の概要】
【発明が解決しようとする課題】
【０００５】
しかしながら、上記の印刷方法による罫線や方眼、模様には下記の問題がある。
【０００６】
第１に、従来の印刷方法、例えばスクリーン印刷により印刷した罫線や方眼は、マーカーインクの書き消しの繰り返しにより劣化しやすい。特にホワイトボード表面のマーカーインクを拭き取る際、ホワイトボード表面に浮き出た罫線や方眼が剥離されやすく、耐久性に劣るのである。また、凹凸の印刷部分には筆記できない。
【０００７】
第２に、ホワイトボードの表面に色彩豊かな画像を印刷すると、当該画像の表面にはマーカーインクが定着できずホワイトボード本来の機能が発揮できないことである。通常、マーカーによる筆記性と消去性は、ホワイトボードの表面の表面張力とマーカーインクの表面張力に依存し、ホワイドボードの表面の表面張力とマーカーインクの表面張力の差が小さいほど良好になると考えられる。すなわち、ホワイトボードの表面の表面張力がマーカーインクの表面張力よりも大になると、マーカーインクがホワイトボードの表面で弾かれにくくなり、筆記性が良好となるが、消去性は不良になりやすい。つまり、ホワイトボードの表面に印刷層が形成されると、当該表面層の表面張力がマーカーインクの表面張力よりも小さくなり、筆記性が不良になるのである。
【０００８】
第３に、ホワイトボードの一部に所望の画像を印刷する場合、コスト高となるとともに、納期も長くなることである。例えば、グラビア印刷の場合、色数分の版を製版して、色を順番に重ねて印刷する。この製版の制作に時間がかかり、コスト高になる。印刷はインクや顔料を対象物に載せる必要があるが、合成樹脂には塗料が載りにくいのである。また、素材への色の混ぜ込みを行うと、印刷するデザインのバリエーションが限定される。また、従来の印刷方法では、短納期への対応が困難である。
【課題を解決するための手段】
【０００９】
上記問題点に鑑み、本発明の目的は、ホワイトボード表面に色彩豊かな画像を低コスト、短納期で印刷可能にし、かつ劣化しにくいホワイトボードを提供することを課題とする。
【００１０】
上記目的を達成させるため、本発明は基材となる金属板に染着性を有する合成樹脂層を塗膜したホワイトボードであって、合成樹脂層を所定の温度で加熱して合成樹脂層の分子鎖を緩ませることにより、緩んだ合成樹脂層の分子鎖の間隙に昇華転写インクを定着させて所要の画像を染色させたホワイトボードである。
【００１１】
なお、合成樹脂層はポリエステルを含むことを特徴とする。ポリエステル１００％が好適であり、ポリエステルの含有率が高くなれば、染色する画像の質は優る。また、合成樹脂層に対する加熱温度は摂氏１６０度ないし２００度であることを特徴とする。
【００１２】
本発明は、所定の画像データをインクジェットプリンタで転写紙にプリントする印刷工程と、基材となる金属板に染着性を有する合成樹脂層を塗膜したホワイトボードの表面の所定位置に転写紙を載せる転写準備工程と、転写機で転写紙をホワイトボードの表面に所定の温度で押圧することにより、転写紙の昇華転写インクが昇華して、ホワイトボードの合成樹脂層に浸透する昇華転写工程と、を備えるホワイトボードの染色方法である。
【発明の効果】
【００１３】
本発明のホワイトボードによれば、マーカーインクの書き消しの繰り返しによる劣化はほとんどない。ホワイトボード表面のマーカーインクを拭き取る際、ホワイトボード表面に罫線や方眼が浮き出ないので、剥離されることはなく、耐久性に富む。
【００１４】
さらに、本発明のホワイトボードによれば製造コストは低い。
【００１５】
またさらに、短納期への対応が容易である。
【図面の簡単な説明】
【００１６】
【図１】本発明の染色原理を示す図である。
【図２】本発明の昇華転写の工程を示す図である。
【発明を実施するための形態】
【００１７】
以下、本発明の実施の形態を図面に基づき詳細に説明する。各図において、同一部分には同一番号を付し、重複する説明は省略する。また、図面は、本発明を理解するために誇張して表現している場合もあり、必ずしも縮尺どおり精緻に表したものではないことに留意されたい。なお、本発明は下記に示される実施の形態に限られるものではない。
【実施例】
【００１８】
実施例１を図面を参照して詳細に説明する。
【００１９】
図１は本発明の染色原理を示す図である。当該染色原理は、昇華転写インク４でプリントされた転写紙６に熱を加えると昇華転写インク４が気化することと、ポリエステルのような合成樹脂は加熱により分子鎖がゆるみ、気化した昇華転写インク４が分子鎖間に定着することを利用したところに特徴がある。
【００２０】
図１（ａ）は、所定の画像を昇華転写インク４でプリントした転写紙６を合成樹脂層３の表面の所望の位置に配置した状態を示している。この後、転写紙６の上から矢印方向に転写機５を押圧するのであるが、その直前の状態を示している。転写機５で、摂氏２００度で１分加熱するのが好適であるが、例えば摂氏１６０度程度で３分加熱するようにしてもよい。すなわち、摂氏１６０度ないし２００度の範囲内で所定時間の調整をすることで加熱すればよい。ここで、昇華転写について、説明する。昇華転写とは、転写紙という媒体を使用してプリントする方法である。昇華とは、固体が液体を経ずに気化する現象をいう。通常の温度では、固体は液体に変化し、それから気体になるが、熱のみならず一定に圧力を加えると、固体が気体に直接変化する現象が起こる。すなわち、熱と圧力によって昇華という現象を起こさせ、所望の文字や絵柄を印刷することができるのである。
【００２１】
図１（ｂ）は、転写機５が転写紙６を合成樹脂層３に加熱しながら押圧している状態を示している。ポリエステルのような合成樹脂が加熱されることにより分子鎖が図に向かって左右方向に緩んでいることが理解できるであろう。ここで、転写紙６の昇華転写インク４は転写機５の加熱により液化することなく気化し、分子鎖の緩んだ合成樹脂層３の隙間に入り込んで定着するのである。
【００２２】
図１（ｃ）は、転写紙６の昇華転写インク４が合成樹脂層３に厚み方向に定着した状態を示している。このように、昇華転写インク４が合成樹脂層３の厚み方向に定着するため、合成樹脂層３の表面は凹凸を有することがない。したがって、形成された罫線等の画像は、ホワイトボード１の表面をマーカーで書いたり消したりすることによる磨耗はなく、色調の劣化もほとんどない。
【００２３】
なお、合成樹脂層３の合成樹脂は、ポリエステル樹脂が好適であるが、これに限定されない。昇華転写インク４を受容しうる樹脂であればよく、例えば、ポリビニルアルコール、ポリビニルブチラール、ポリ酢酸ビニル、ポリ塩化ビニル、ポリビニルピロリドン、ポリビニルアセタール等のビニル系樹脂、ポリメチルアクリレート、ポリブチルアクリレート、ポリアクリルアミド等のアクリレート系樹脂、ポリカーボネート樹脂、ポリウレタン樹脂、ポリアミド樹脂、尿素樹脂、ポリカプロラクトン樹脂、ポリスルホン樹脂、シリコーンポリエステル樹脂、エポキシ樹脂等が使用されうる。
【００２４】
基材となる金属板２は、鉄板が好適であるが、鉄板以外の金属を用いてもよい。鉄板が都合がよい理由は、ホワイトボード１に磁石を利用した文具を使用することができ利便で、コスト面でも有利だからである。
【００２５】
昇華転写インク４は、加熱された際に気化して転移しうるインクをいい、例えばアントラキノン誘導体、キノフタロン誘導体、アゾ系色素等の分散染料が好適である。また、昇華温度は摂氏６０度以上のものがよい。昇華転写インク４は、通常、シアン、マゼンダ、イエロー、ブラックのカラーモデルを基本として転写紙６に印刷する。
【００２６】
次に、図２を参照しつつ、昇華転写の工程を説明する。
【００２７】
まず、市販のソフトで作成したデータをインクジェットプリンタで転写紙６にプリントする印刷工程である（Ｓ０１）。転写紙６は紙の上に印刷されたデータをいかに効率よく鮮明に合成樹脂層３に移すことができるように昇華転写用に加工された紙である。市販のソフト等でデータを作成するので、細かい文字や繊細なデザイン、写真等もプリントすることができる。なお、インクジェットプリンタは、電圧により変形する圧電素子（ピエゾ素子）を使ってインクを噴出するピエゾ式を用いるとよい。
【００２８】
次に、ホワイトボード１の表面の所定位置に、所望の転写紙６を載せた状態で、転写機５で圧力を加える前の転写準備工程である（Ｓ０２）。最後に、摂氏２００度で１分間圧力を加えると、転写機５に載った昇華転写インク４が昇華して、ホワイトボード１の合成樹脂層３に浸透する昇華転写工程である（Ｓ０３）。これらの原理は上述したとおりである。
【００２９】
以上、本発明に係るホワイトボード１における好ましい実施形態を図示して説明してきたが、本発明の技術的範囲を逸脱することなく種々の変更が可能であることは理解されるであろう。
【産業上の利用可能性】
【００３０】
本発明のホワイトボード１は、従来のホワイトボードと同様にマーカーで文字等を書き消しができる他、スケジュールボードや予約ボード等として使用目的に合わせた所望のデザインを形成することができる。したがって、家庭用ならびに業務用として広く利用することができる。例えば、写真や絵等のような画像データをそのままにホワイトボード１に印刷できるので、インテリアや広告サインとしての使用も可能であるし、学校の特別な行事向けのホワイトボードやマスコットキャラクターの画像を印刷したホワイトボード１等も短納期で提供することが可能である。
【符号の説明】
【００３１】
１  ホワイトボード
２  金属版
３  合成樹脂層
４  昇華転写インク
５  転写機
６  転写紙
【図１】
2013158936.tif 000003
【図２】
2013158936.tif 000004